(57)【要約】【課題】イッナースパッツを必要とせずに、スキーウェアの上から簡単な操作で着脱が可能であり、装着することで上下着間の隙間からの雪の侵入を確実に防止でき、しかも取り外せば、スキーウェアの着心地がより良好となる雪除け防具を提案する。【解決手段】ズボンA1表面の上縁に巻き回し、固定手段により固定して着脱可能に装着するとともに、表面に面ファスナーで構成される第１接合部を備えた固定ベルトB1と、第１接合部に接合可能な面ファスナーで構成される第２接合部を裏面下部に設けるとともに、上縁にはインナーホールドベルトを備え、且つ、端縁相互を着脱可能に係止する係止手段を備えた防水性材質の防護帯B2とからなり、第１接合部に第２接合部を接合するとともに、ズボンA1の上縁部及び上着A2の下縁部の帯状臨界部分を被覆して巻き回し、且つ、端縁相互を係止手段により係止して防護帯B2を着脱可能に装着する。【選択図】図１
2011190547.tif 000002
【特許請求の範囲】
【請求項１】
ズボンA1表面の上縁に巻き回し、固定手段により固定して着脱可能に装着するとともに、表面に面ファスナーで構成される第１接合部31を備えた固定ベルトB1と、第１接合部31に接合可能な面ファスナーで構成される第２接合部42を裏面下部に設けるとともに、上縁にはインナーホールドベルト41を備え、且つ、端縁相互を着脱可能に係止する係止手段を備えた防水性材質の防護帯B2とからなり、第１接合部31に第２接合部42を接合するとともに、ズボンA1の上縁部及び上着A2の下縁部の帯状臨界部分を被覆して巻き回し、且つ、端縁相互を係止手段により係止して防護帯B2を着脱可能に装着することを特徴とする雪除け防具。
【請求項２】
上記固定ベルトB1は、表面一端部及び他端部に面ファスナーで構成される一対の第１固定部32をそれぞれ設けるとともに、各第１固定部32と隣接する表面一端部と他端部に、第１固定部32に接合可能な面ファスナーで構成される一対の第２固定部33をそれぞれ設け、ズボンA1表面の離間位置に設けられた一対の係止用架橋にそれぞれ先端を挿通し、挿通した両先端をそれぞれ折り返して第１固定部32を第２固定部33に接合することで着脱可能に装着した請求項１記載の雪除け防具。
【請求項３】
固定ベルトB1の裏面両端部に、第１固定部32との接合が可能な面ファスナーよりなる、一対の第３固定部34を設けた請求項２記載の雪除け防具。
【請求項４】
上記係止用架橋が、ズボンA1の前部離間位置にある一対のベルト通し10である請求項２又は請求項３のいずれか１項に記載の雪除け防具。
【請求項５】
第２接合部42に不連続部分を設け、該不連続部分を下部インナーホールドベルト43で構成した請求項１乃至請求項５のいずれか１項に記載の雪除け防具。
【請求項６】
上記係止手段は、防護帯B2の表面縁部に設けた面ファスナーで構成される第１係止部44と、裏面縁部に設けた第１係止部44と接合可能な面ファスナーで構成される第２係止部45と、第１係止部44及び第２係止部45の各部分に併設した、凸部46a と凹部46b で構成されるスナップボタン46とで構成した請求項１乃至請求項５のいずれか１項に記載の雪除け防具。
【請求項７】
上記係止手段は、防護帯B2の表面縁部に設けた面ファスナーで構成される横長の第１係止部44と、裏面縁部に設けた第１係止部44と接合可能な面ファスナーで構成される幅狭な第２係止部45とで構成した請求項１乃至請求項６のいずれか１項に記載の雪除け防具。
【請求項８】
防護帯B2表面上部両端部にそれぞれ一端を固定した一対の紐50を突設し、各紐50に互いに係脱可能な係止具51及び係合具52を、一方は固定し、他方は移動が可能に装着し、防護帯B2上部の絞め幅調整を可能に構成した請求項１乃至請求項７のいずれか一項に記載の雪除け防具。
【発明の詳細な説明】
【技術分野】
【０００１】
本発明は雪除け防具に関し、詳しくは、スキーやスノーボードを行う際にズボンの上端縁からの雪の侵入を確実に防止できる雪除け防具に関する。
【背景技術】
【０００２】
スキーやスノーボードを行う場合に雪の侵入を防止するためにスキーパンツが使用されている。これらのスキーパンツはスキーを行うのに適した構造を追求して雪の侵入を阻止するスパッツ構造や、ウェストラインをフィットするシャーリングゴムやサイドアジャストベルト等の構造を採用している。
【０００３】
これらのスキーパンツはスキーを行う上では最適であるものの、スキー以外の通常に使用する場合には外観やウェストの保持感などの点で着心地に問題点があり、従ってこの様な点を解消することを目的としたスキーパンツも開発されている。（例えば、特許文献１参照）
【０００４】
上記スキーパンツは防水性生地または防水加工した布帛からなるパンツ本体の内側に、インナースパッツ体を腰部の縫合構造によって内装一体化している。また、キルティング布帛等の保温性を有する素材によって縫製した短脚の前開き形パンツ構造を呈してなるインナーホットパンツを、該インナーホットパンツのウエスト部に適宜弾性をもったインナーホールドべルトを縫着するとともに、該インナーホールドベルトをパンツ本体のウエスト部に対して複数個所貼着縫合してインナースパッツ体の内側につり込み内装している。
【先行技術文献】
【特許文献】
【０００５】
【特許文献１】特開平１１−３０２９０７号
【発明の概要】
【発明が解決しようとする課題】
【０００６】
上記特許文献１のスキーパンツは普段着のパンツのシルエットを実現することができ、また、インナーホールドベルトによって使用者のウェストを確実にストレッチするようになるため、ウェストのずれや雪の侵入に対する不安感を解消できる優れたものである。
【０００７】
しかしながら、インナーホールドベルトの存在があっても、パンツ本体の上縁部は表面に露出しているため、雪の溶解等により浸透する虞もあり、また、特定されたパンツ本体に対してインナースパッツが固定されているため、上記した通常の着心地の点に関しても更なる改良の余地があった。
【０００８】
本発明は上記した点に鑑みてなされたもので、イッナースパッツを必要とせずに、スキーウェアの上から簡単な操作で着脱が可能であり、装着することで上下着間の隙間からの雪の侵入を確実に防止でき、しかも取り外せば、スキーウェアの着心地がより良好となる雪除け防具を提案する。
【課題を解決するための手段】
【０００９】
第１の手段として、以下の通り構成した。即ち、ズボンA1表面の上縁に巻き回し、固定手段により固定して着脱可能に装着するとともに、表面に面ファスナーで構成される第１接合部31を備えた固定ベルトB1と、第１接合部31に接合可能な面ファスナーで構成される第２接合部42を裏面下部に設けるとともに、上縁にはインナーホールドベルト41を備え、且つ、端縁相互を着脱可能に係止する係止手段を備えた防水性材質の防護帯B2とからなり、第１接合部31に第２接合部42を接合するとともに、ズボンA1の上縁部及び上着A2の下縁部の帯状臨界部分を被覆して巻き回し、且つ、端縁相互を係止手段により係止して防護帯B2を着脱可能に装着することを特徴とする雪除け防具。
【００１０】
第２の手段として、以下の通り構成した。即ち、前記第１の手段に於いて、上記固定ベルトB1は、表面一端部及び他端部に面ファスナーで構成される一対の第１固定部32をそれぞれ設けるとともに、各第１固定部32と隣接する表面一端部と他端部に、第１固定部32に接合可能な面ファスナーで構成される一対の第２固定部33をそれぞれ設け、ズボンA1表面の離間位置に設けられた一対の係止用架橋にそれぞれ先端を挿通し、挿通した両先端をそれぞれ折り返して第１固定部32を第２固定部33に接合することで着脱可能に装着した。
【００１１】
第３の手段として、以下の通り構成した。即ち、前記第２の手段に於いて、固定ベルトB1の裏面両端部に、第１固定部32との接合が可能な面ファスナーよりなる、一対の第３固定部34を設けた。
【００１２】
第４の手段として、以下の通り構成した。即ち、前記第２の手段又は第３の手段のいずれか一つの手段に於いて、上記係止用架橋が、ズボンA1の前部離間位置にある一対のベルト通し10である。
【００１３】
第５の手段として、以下の通り構成した。即ち、前記第１の手段乃至第４の手段のいずれか一つの手段に於いて、第２接合部42に不連続部分を設け、該不連続部分を下部インナーホールドベルト43で構成した。
【００１４】
第６の手段として、以下の通り構成した。即ち、前記第１の手段乃至第５の手段のいずれか一つの手段に於いて、上記係止手段は、防護帯B2の表面縁部に設けた面ファスナーで構成される第１係止部44と、裏面縁部に設けた第１係止部44と接合可能な面ファスナーで構成される第２係止部45と、第１係止部44及び第２係止部45の各部分に併設した、凸部46a と凹部46b で構成されるスナップボタン46とで構成した。
【００１５】
第７の手段として、以下の通り構成した。即ち、前記第１の手段乃至第６の手段のいずれか一つの手段に於いて、上記係止手段は、防護帯B2の表面縁部に設けた面ファスナーで構成される横長の第１係止部44と、裏面縁部に設けた第１係止部44と接合可能な面ファスナーで構成される幅狭な第２係止部45とで構成した。
【００１６】
第８の手段として、以下の通り構成した。即ち、前記第１の手段乃至第７の手段のいずれか一つの手段に於いて、防護帯B2表面上部両端部にそれぞれ一端を固定した一対の紐50を突設し、各紐50に互いに係脱可能な係止具51及び係合具52を、一方は固定し、他方は移動が可能に装着し、防護帯B2上部の絞め幅調整を可能に構成した。
【発明の効果】
【００１７】
本発明によれば、通常のスキーウェアＡに対して固定ベルトB1を装着した後、防護帯B2を装着するという簡単な操作で、ズボンA1の上縁部と上着A2との臨界部分を確実に被覆することができ、その部分からの雪の侵入を確実に防止することができる。また、防護帯B2の上縁にはインナーホールドベルト41を備えているため、ここからの雪の侵入も確実に防止でき、万一液化した雪がその部分から浸透しようとしても内部にはスキーウエア上着A2の存在があるため、問題にならない。また、固定ベルトB1表面の面ファスナーで構成される第１接合部31に、防護帯B2裏面の面ファスナーで構成される第２接合部42を接合することで防護帯B2を装着することができるため、それらの着脱が極めて容易である。
【００１８】
上記固定ベルトB1は、表面一端部及び他端部に面ファスナーで構成される一対の第１固定部32をそれぞれ設けるとともに、各第１固定部32と隣接する表面一端部と他端部に、第１固定部32に接合可能な面ファスナーで構成される一対の第２固定部33をそれぞれ設け、ズボンA1表面の離間位置に設けられた一対の係止用架橋にそれぞれ先端を挿通し、挿通した両先端をそれぞれ折り返して第１固定部32を第２固定部33に接合することで着脱可能に装着した場合には、固定ベルトB1を確実に所定位置に固定することができ、その結果、防護帯B2の装着位置もずれることなく行えるという利点を兼ね備えている。
【００１９】
固定ベルトB1の裏面両端部に、第１固定部32との接合が可能な面ファスナーよりなる、一対の第３固定部34を設けた場合には、第３固定部34と、第１固定部32との接合により胴部に巻き回した固定ベルトB1を固定することができ、また、先端を折り返しての固定の際には、第３固定部34を第１接合部31の一部として使用することができる便利もある。
【００２０】
上記係止用架橋が、ズボンA1の前部離間位置にある一対のベルト通し10である場合には、特に係止用架橋を備えたズボンA1を用意する必要もなく、ベルト通し10を備えた通常のスキーウェアＡをそのまま使用できる。
【００２１】
第２接合部42に不連続部分を設け、該不連続部分を下部インナーホールドベルト43で構成した場合には、固定ベルトB1と防護帯B2との接合強度を損ねることなく防護帯B2の下縁部のシール性をより良好ならしめることができる。
【００２２】
上記係止手段は、防護帯B2の表面縁部に設けた面ファスナーで構成される第１係止部44と、裏面縁部に設けた第１係止部44と接合可能な面ファスナーで構成される第２係止部45と、第１係止部44及び第２係止部45の各部分に併設した、凸部46a と凹部46b で構成されるスナップボタン46とで構成した場合には、防護帯B2の接合をより確実に行うことができる。
【００２３】
上記係止手段は、防護帯B2の表面縁部に設けた面ファスナーで構成される横長の第１係止部44と、裏面縁部に設けた第１係止部44と接合可能な面ファスナーで構成される幅狭な第２係止部45とで構成した場合には、第２係止部45を第１係止部44の任意位置に係止することができるため、防護帯B2の径方向の係止位置の調整が可能となる。                  
【００２４】
防護帯B2表面上部両端部にそれぞれ一端を固定した一対の紐50を突設し、各紐50に互いに係脱可能な係止具51及び係合具52を、一方は固定し、他方は移動が可能に装着し、防護帯B2上部の絞め幅調整を可能に構成した場合にも、防護帯B2の径方向の係止位置の調整が可能となる。
【図面の簡単な説明】
【００２５】
【図１】雪除け防具の装着状態の説明図である。（実施例１）
【図２】固定ベルトの表面図である。（実施例１）
【図３】固定ベルトの裏面図である。（実施例１）
【図４】固定ベルトを装着した状態の説明図である。（実施例１）
【図５】防護帯の表面図である。（実施例１）
【図６】防護帯の裏面図である。（実施例１）
【発明を実施するための形態】
【００２６】
以下、本発明の実施例の形態を図面を参照して説明する。
【００２７】
図１はズボンA1及び上着A2とからなるスキーウェアＡに装着した雪除け防具Ｂの一例を示し、雪除け防具Ｂは、固定ベルトB1と、防護帯B2とを備えている。また、ズボンA1の表面上縁部には複数のベルト通し10が設けられている。
【００２８】
固定ベルトB1は、ズボンA1表面の上縁に巻き回し、固定手段により固定して着脱可能に装着するもので、防護帯B2を装着する基礎となるものである。本例では、図２に表面図（ここでいう表面とは固定ベルトB1を装着した際の外面側をいう。）で、図３に裏面図（ここでいう裏面とは固定ベルトB1を装着した際の内面側をいう。）で示す如く、横長な基部30を備え、基部30の表面の両端部を残した中央位置に、面ファスナー（例えば、登録商標のマジックテープを使用できる。以下全て同じ。）で構成される第１接合部31を設けており、第１接合部31両側の両端部には、面ファスナーで構成される一対の第１固定部32を設けている。第１接合部31の両端部は各第１固定部32が接合可能な面ファスナーで構成された第２固定部33としてそれぞれ兼用している。第２固定部33は、第１接合部31と兼用する場合に限らず、第１接合部31とは別に、第１接合部31の両側に一対設けても良い。また、基部30の裏面両側には、図３に示す如く、面ファスナーで構成される一対の第３固定部34を設けている。基部30は合成樹脂やエラストマー等のシート、天然繊維、合成繊維よりなる織布、或いは不織布等により形成されるが、特に限定はない。
【００２９】
この様に構成される固定ベルトB1は、例えば、図４に示す如く、ズボンA1表面の上縁に巻き回し、固定手段により固定して着脱可能に装着する。固定手段として、固定ベルトB1の両端を、係止用架橋としてのベルト通し10に挿通し、挿通した両先端をそれぞれ折り返して第１固定部32を第２固定部33に接合することで固定している。この場合、折り返された各先端部の裏面に形成されている第３固定部34の一部が表面に露出して第１接合部31の一部を構成する。また、挿通するベルト通し10は少なくとも両先端を挿通固定する一対のものが必要であるが、その他のベルト通し10には固定ベルトB1を挿通しても、挿通しなくても本願の所期の目的を達成できる。尚、固定ベルトB1の装着方法として、図示しないが、固定ベルトB1をズボンA1表面の上縁に巻き回し、一方の第１固定部32と他方の第３固定部34とを接合することで着脱可能に装着することも可能である。その場合にも固定ベルトB1は各ベルト通し10を挿通させても、させなくても装着することができる。尚、係止用架橋としてベルト通し10ではなく、ズボンA1の前部所定位置に一対掛け渡したものであってもよい。
【００３０】
防護帯B2は、図５に表面図（ここでいう表面とは、防護帯B2を装着した際の外面側をいう）で、図６に裏面図（ここでいう裏面とは、防護帯B2を装着した際の内面側をいう）で示す如く、不織布、合成樹脂等の防水性材質により形成された横長帯状の基部40を備え、基部40の表面上端縁にはインナーホールドベルト41が設けられている。インナーホールドベルト41は、天然ゴム，合成ゴム等を含むエラストマー等の弾力性材質で形成された帯状体を縫合等の手段で上縁部に設けたものであり、防護帯B2を装着した際に胴部にフィットさせる作用がある。また、基部40は、合成樹脂やエラストマー等のシート、天然繊維、合成繊維よりなる織布、或いは不織布等により形成され、防水性を備えたものであれば特に限定はない。
【００３１】
また、基部40の裏面下部には、図６に示す如く、第１接合部31と接合させる面ファスナーで構成される第２接合部42を設けている。本例では、第２接合部42を、両側の短い横長矩形状をなす端構成部42a と、中央の長い横長矩形状をなす中央構成部42b との不連続な３パーツで構成し、各パーツ間には下部インナーホールドベルト43を設けている。尚、第２接合部42は基部40の下縁全体に亘って設けたものであっても良く、分割する場合も３パーツに限らず複数パーツが可能である。
【００３２】
また、図５に示す如く、基部40表面の一端部に係止手段を構成する第１係止部44を設けている。図示例に於ける第１係止部44は、面ファスナーで構成される横長矩形領域44a を上下等間隔に三本併設して構成されている。また、係止手段を構成し、第１係止部44と接合する第２係止部45は、図６に示す如く、基部40の裏面端部に、横長矩形領域44a と接合可能な面ファスナーで構成される一本の幅狭縦長矩形領域45a として構成されている。この様な第１係止部44と第２係止部45とで構成される係止手段を採用すれば、横長な第１係止部44の任意位置に第２係止部45を接合することができるため、防護帯B2の締め付け径の調整が可能となる。
【００３３】
更に本例では係止手段として、上記した面ファスナーで構成される第１係止部44と第２係止部とで構成される係止手段の他に、基部40の表面端部及び裏面端部に設けたスナップボタン46を係止手段として併用している。この係止手段は、面ファスナーで構成される前者或いはスナップボタン46で構成される後者をそれぞれ単独で採用しても良く、また、本例のように併用することも可能である。スナップボタン46は、凸部46a と、該凸部46a に着脱可能に嵌合する凹部46b とで構成し、凸部46a を基部40表面に凹部46b を基部40裏面にそれぞれ縦に三箇所ずつ設けている。また、これらの凸部46a 及び凹部46b を設けた位置は第１係止部44及び第２係止部45の形成位置と重複する位置としている。
【００３４】
また、防護帯B2表面上部両端部にそれぞれ一端を固定した一対の紐50を突設し、各紐50に互いに係脱可能な係止具51及び係合具52を、一方は固定し、他方は移動が可能に装着し、防護帯B2上部の絞め幅調整を可能に構成している。
【００３５】
図示例では、防護帯B2の表面両端部上部にそれぞれ一端を固定した一対の紐50を突設し、左上部の紐50の先端には係止具51を固定しており、右上部の紐50の中途には、係合具52を固定している。係止具51はリング51a を備え、係合具52はリング51a 内に嵌合し、リング51a の裏面に係合させる突起をそれぞれ突設した一対の弾性係合板52a を備えている。また、係合具52は、二本の平行する線状溝を備えた取付部52b を備え、一方の線状溝に挿通した紐50を押し返して他方の線状溝に挿通して、紐50の所定位置に係合具52を係止できる如く構成している。そして防護帯B2上部の絞め幅調整を可能に構成している。
【００３６】
この様に構成される防護帯B2は、例えば、固定ベルトB1を装着した後、第１接合部31に第２接合部42を接合させ、ズボンA1の上縁部及び上着A2の下縁部の帯状臨界部分を被覆して巻き回し、係止手段として各スナップボタン46を嵌めると同時に幅狭縦長矩形領域45aj横長矩形領域44a とを接合して装着する。その際紐50の所定位置に係止した係合具52を係止具51に嵌めることで、上縁部を更に絞め込むことも可能である。
【００３７】
取り外しの際には、要すれば係合具52から係止具51を外した後、スナップボタン46及び面ファスナーを同時に外し、しかる後第１接合部31から第２接合部42を引き剥がすことで容易に防護帯B2をと取り外すことができ、また、固定ベルトB1も固定手段部分の面ファスナーを引き剥がすことで容易に取り外すことができる。
【符号の説明】
【００３８】
Ａ…スキーウェア
A1…ズボン
10…ベルト通し
A2…上着
Ｂ…雪除け防具
B1…固定ベルト
30…基部，31…第１接合部，32…第１固定部，33…第２固定部，34…第３固定部      B2…防護帯
40…基部，41…インナーホールドベルト，42…接合部，42a …端構成部，
42b …中央構成部，43…下部インナーホールドベルト，44…第１係止部，
44a …横長矩形領域，45…第２係止部，45a …幅狭縦長矩形状領域，
46…スナップボタン，50…紐，51…係止具，51a …リング，52…係合具，
52a …弾性係合板，52b …取付部
【図１】
2011190547.tif 000003
【図２】
2011190547.tif 000004
【図３】
2011190547.tif 000005
【図４】
2011190547.tif 000006
【図５】
2011190547.tif 000007
【図６】
2011190547.tif 000008